(57)【要約】【課題】  シート束が片当りによって局所的な衝撃を受けて品質面での不具合が生じることを防止できる積載台およびシート状物包装構造の提供【解決手段】シート状物を厚さ方向に積層したシート束が積載される積載台であって、前記シート束が載置され、または凭せ掛けられる積載面に、前記シート束を積載した状態で平面状態を保持する硬質板を配置した積載台、前記積載台を有するシート状物包装構造。【選択図】        図１
2007084121.tif 000002
【特許請求の範囲】
【請求項１】
シート状物を厚さ方向に積層したシート束が積載される積載台であって、前記シート束が載置され、または凭せ掛けられる積載面に、前記シート束を積載した状態で平面状態を保持する硬質板を配置してなることを特徴とする積載台。
【請求項２】
前記積載台は、シート束が縦方向に積載されるとともに、
前記積載台が有する積載面は、前記シート束が凭せ掛けられる背凭れ面と、前記背凭れ面に向かって水平面に対して下向きに傾斜してなるとともに、前記シート束が実質的に立てた状態で載置される載置面とからなり、
前記硬質板は前記背凭れ面および載置面の何れかまたは両方に配置されてなる
請求項１に記載の積載台。
【請求項３】
前記背凭れ面および載置面の一方に硬質板が、他方に緩衝性を有する緩衝シートが配置されてなる請求項２に記載の積載台。
【請求項４】
前記積載面は水平面であって前記シート束は前記積載面に水平に載置される請求項１に記載の積載台。
【請求項５】
前記硬質板と前記積載面との間に緩衝性を有する緩衝シートが配置されてなる請求項１〜４の何れか１項に記載の積載台。
【請求項６】
請求項１〜５の何れか１項に記載の積載台と、シート状物を厚さ方向に積層してなり、前記積載台の積載面に積載されたシート束とを有するシート状物包装構造。
【請求項７】
前記シート状物は平版印刷版であり、前記シート束は平版印刷版束である請求項６に記載のシート状物包装構造。
【発明の詳細な説明】
【技術分野】
【０００１】
本発明は、積載台およびシート状物包装構造に関し、特に、シート束を積載したときにシート束との間に片当りが生じてシート束が局所的な衝撃を受けることのない積載台および前記積載台を有するシート状物包装構造に関する。
【背景技術】
【０００２】
平版印刷版を荷扱いする場合、荷扱いの回数を減らして運搬や保管を低コストで行なうとともに、運搬や保管中の平版印刷版の変形や損傷を防止すべく、多数枚の平版印刷版を厚さ方向に積層して平版印刷版束を構成し、前記平版印刷版束を必要に応じてアルミクラフト紙などの遮光梱包材で梱包してパレットやスキッドなどの積載部材に積載し、梱包することが一般的に行なわれてきた。
【０００３】
このような梱包構造の一例としては、水平面に対して傾斜した載置面と、前記載置面に対して直交する背凭れ面とを有する椅子状の積載台に平版印刷版束を載置し、更に前記平版印刷版束に端板を載置して前記端板と前記積載部材の背板との間にベルトを巻き掛けて平版印刷版束を拘束した特許文献１に記載の梱包構造がある。
【特許文献１】特許第２８７３４６３号公報
【発明の開示】
【発明が解決しようとする課題】
【０００４】
しかしながら、前記積載台において、背凭れ面や載置面に凹凸があると、平版印刷版束との間に片当りが生じるので、平版印刷版束は、輸送中や荷役中に局所的な衝撃を受け、品質面での不具合が生じる。
【０００５】
積載台の背凭れ面や載置面の平面性を向上させ、完全な平面とすることにより、このような品質面での不具合は回避できるが、積載台に精度の高い平面加工を施すと高額な費用が発生する。
【０００６】
本発明は、上記問題を解決すべく成されたものであり、積載台の積載面に高度な平面性加工を施すことなく、積載された平版印刷版束などのシート束が片当りによって局所的な衝撃を受けて品質面での不具合が生じることを防止できる積載台およびシート状物包装構造を提供することを目的とする。
【課題を解決するための手段】
【０００７】
請求項１に記載の発明は、シート状物を厚さ方向に積層したシート束が積載される積載台であって、前記シート束が載置され、または凭せ掛けられる積載面に、前記シート束を積載した状態で平面状態を保持する硬質板を配置してなることを特徴とする積載台に関する。
【０００８】
積載台を何度も繰り返し使用すると、シート束との接触で積載面が粗くなり、凹凸が生じる。この凹凸がシート束との片当りの原因になり、シート束に品質故障を生じさせる。
【０００９】
前記積載台においては積載面に硬質板を配置することにより、積載面に凹凸が生じた状態においても、シート束と接触する面の平面性が確保され、積載台とシート束との間に片当りが生じることが防止される。したがって、片当りに起因するシート状物の品質故障も防止できる。また、表面に凹凸が生じた載置面に高度な平面加工を施して前記凹凸を除去する必要がないから、高額な費用が発生することもない。更に、繰り返しの使用によって硬質板の表面が荒れたり、シート束からの衝撃で硬質板が変形したりして硬質板の表面に凹凸が生じたときは、硬質板だけを新たなものに交換すればよいから、安価である。
【００１０】
請求項２に記載の発明は、前記積載台は、シート束が縦方向に積載されるとともに、前記積載台が有する積載面が、前記シート束が凭せ掛けられる背凭れ面と、前記背凭れ面に向かって水平面に対して下向きに傾斜してなるとともに、前記シート束が実質的に立てた状態で載置される載置面とからなり、前記硬質板は前記背凭れ面および載置面の何れかまたは両方に配置されてなる請求項１に記載の積載台に関する。
【００１１】
椅子型の積載台においては、背凭れ面や載置面に凹凸があると、輸送中や荷役中の衝撃によってシート束の側面や表側面、裏側面に損傷が生じることがある。
【００１２】
しかし、前記積載台においては、背凭れ面および載置面の少なくとも一方に硬質板を配置しているから、シート束の側面や表側面、裏側面に損傷が生じることが防止される。
【００１３】
請求項３に記載の発明は、前記背凭れ面および載置面の一方に硬質板が、他方に緩衝性を有する緩衝シートが配置されてなる請求項２に記載の積載台に関する。
【００１４】
前記積載台においては、前記背凭れ面および載置面のうち、緩衝シートを配置した側においても、前記背凭れ面や載置面の凹凸は前記緩衝シートで吸収されるから、前記凹凸によるシート束の損傷を防止できる。
【００１５】
請求項４に記載の発明は、前記積載面が水平面であって前記シート束が前記積載面に水平に載置される請求項１に記載の積載台に関する。
【００１６】
前記積載台には、シート束が水平に載置されるから、積載面に凹凸があれば、シート束の前記積載面に接する側の面に損傷が生じる可能性がある。
【００１７】
しかしながら、前記積載台においては、積載面に硬質板が配置されているから、積載面に凹凸が生じた状態においても、シート束と接触する面の平面性が確保され、積載台とシート束との間に片当りが生じることが防止される。
【００１８】
請求項５に記載の発明は、前記硬質板と前記積載面との間に緩衝性を有する緩衝シートが配置されてなる請求項１〜４の何れか１項に記載の積載台に関する。
【００１９】
前記積載台においては、前記積載面に配置された緩衝シートは硬質板で保護されているから、シート束が緩衝シートに直接接触することがない。したがって、シート束と繰り返し接触することによって緩衝シートの表面が粗くなることが防止される。また、輸送中や荷役中にシート束に加わる衝撃は、前記緩衝シートによって吸収されるから、輸送中や荷役中の衝撃によってシート束が損傷することが更に効果的に防止される。
【００２０】
請求項６に記載の発明は、請求項１〜５の何れか１項に記載の積載台と、シート状物を厚さ方向に積層してなり、前記積載台の積載面に積載されたシート束とを有するシート状物包装構造に関する。
【００２１】
前記シート状物包装構造においては、積載台の積載面に硬質板が配置されているから、積載面に凹凸が生じた状態においても、シート束と接触する面の平面性が確保され、積載台とシート束との間に片当りが生じることが防止される。したがって、片当りに起因するシート状物の品質故障も防止できる。
【００２２】
請求項７に記載の発明は、前記シート状物が平版印刷版であり、前記シート束は平版印刷版束である請求項６に記載のシート状物包装構造に関する。
【００２３】
前記シート状物包装構造は、本発明のシート状物包装構造を平版印刷版束の包装に適用した例である。
【００２４】
前記シート状物包装構造によれば、積載台における積載面に凹凸が生じた状態においても、平版印刷版束と接触する面の平面性が確保され、積載台と平版印刷版側との間に片当りに起因する平版印刷版束の品質故障を効果的に防止できる。
【発明の効果】
【００２５】
以上説明したように本発明によれば、積載されたシート束が片当りによって局所的な衝撃を受けて品質面での不具合が生じることを防止できる積載台およびシート状物包装構造が提供される。
【発明を実施するための最良の形態】
【００２６】
１．実施形態１
本発明に係るシート状物包装構造の一例である平版印刷版の包装構造体について以下に説明する。
【００２７】
図１〜図３に示すように、実施形態１に係る包装構造体１００は、積載台２と、積載台２上に実質的に縦向きの状態で載置される平版印刷版束１０と、平版印刷版束１０を積載台２に拘束する２本の結束バンド８と、平版印刷版束１０において夫々の結束バンド８が当接する側の端面に当てられる当て板６とを備えている。積載台２および平版印刷版束１０は、夫々本発明のシート状物包装構造の備える積載台およびシート束に相当する。なお、当て板６における結束バンド８が当る部分には、帯状の補強片９が挿入されている。
【００２８】
図１〜図３に示すように、積載台２は、全体として椅子状に形成され、平版印刷版束１０を載置する載置部２２と、載置部２２を下方から支持する台座部２４とからなっている。
【００２９】
載置部２２は、全体として略Ｌ字状に形成され、載置部２２は、台座部２４に対して傾斜している支持板２２Ａと、椅子の座面に相当する載置板２２Ｂとからなる。支持板２２Ａは鉛直方向に対し、９〜１５度傾斜し、載置板２２Ｂは、支持板２２Ａに向って水平面に対して下向きに傾斜している。そして、支持板２２Ａと載置板２２Ｂとにおける平版印刷版束１０が接触する側の面が夫々背凭れ面２０Ａおよび載置面２０Ｂとされている。背凭れ面２０Ａおよび載置面２０Ｂにおける平版印刷版束１０が当接する部分には、緩衝シート４が設けられている。
【００３０】
緩衝シート４上には硬質板５が配置されている。
【００３１】
台座部２４は、載置部２２の載置板２２Ｂが固定される略長方形状の上板２６と、同じく略長方形状の底板２８と、上板２６と底板２８とを連結する角材状の脚部２７とを備えている。脚部２７は台座部２４の奥行き方向Ｄに沿って互いに平行に３本設けられている。脚部２７の間には、フォークリフトやハンドリフトのフォークを挿入するための空間２９が形成されている。なお、脚部２７として、角材状の部材の代りにブロック状の部材を用い、積載台２の正面からだけでなく、側面からもフォークリフトやハンドリフトのフォークが挿入できるようにしてもよい。
【００３２】
台座部２４の底板２８の下面には緩衝シート３０が接着されている。緩衝シート４および３０の厚さは１〜２０ｃｍ程度が好ましい。
【００３３】
緩衝シート４および緩衝シート３０としては、圧力に強く、所謂ヘタレが生じない点から、ポリエチレン発泡材の板材が好ましいが、他に天然ゴムやネオプレンゴム、ポリブタジエンゴム、イソプレンゴム、クロロプレンゴムなどのジエン系ゴム、およびウレタンゴムやエチレンプロピレンゴム、エチレン・プロピレン・ジエン三元共重合体、ポリアミド系エラストマ、ポリオレフィン系エラストマ、ポリエステル系エラストマなどの各種熱可塑性エラストマの板材や発泡材などが挙げられる。更に、段ボールや片段ボールなども使用できる。
【００３４】
硬質板５としては、前記シート束を積載した状態で平面状態を保持するだけの剛性を有する金属板や合成樹脂板が挙げられ、具体的にはステンレス板やポリカーボネート板などが挙げられる。たとえば、ステンレス板としては厚さ１ｍｍのものが使用でき、ポリカーボネート板としては厚さ２ｍｍのものが使用できるが、必要な剛性が確保できるのであれば、前記厚さには限定されない。
【００３５】
硬質板５は、図３に示すように、背凭れ面２０Ａおよび載置面２０Ｂの両方に設けられていてもよいが、図４に示すように載置面２０Ｂのみに設けられていてもよく、また、図５に示すように背凭れ面２０Ａのみに設けられていてもよい。また、硬質板５は、単に緩衝シート４上に載置されていてもよいが、接着や両面テープ、面ファスナなどの手段で位置が移動しないように緩衝シート４上に固定または装着してもよい。特に面ファスナは、硬質板５を着脱可能に装着できるから好ましい。
【００３６】
平版印刷版束１０は、平版印刷版を厚さ方向に積層したものであるが、平版印刷版のみを厚さ方向に積層したものであってもよく、平版印刷版と合紙とを交互に積層したものであってもよい。ここで、平版印刷版は、本発明のシート状物の一例である。更に、所定の枚数毎に積層された平版印刷版の上下に保護用厚紙を挿入してもよい。更に加えて、外部からの光線や温度、湿度の変化などから平版印刷版を保護できるように内装紙で平版印刷版束１０を包装することが好ましい。内装紙としては、クラフト紙にアルミニウム箔を貼着し、必要に応じてポリエチレン樹脂などの防湿層や黒色ポリエチレン樹脂などの防湿・遮光層を設けたものが挙げられる。
【００３７】
平版印刷版束１０を構成する平版印刷版としては、通常の可視光露光型の平版印刷版のほか、レーザ露光型の平版印刷版が挙げられる。
【００３８】
なお、包装構造体１００においては、図６および図７に示すように、結束バンド８で平版印刷版束１０を積載台２に拘束する代りに、ストレッチフィルム４０で拘束してもよい。この場合、ストレッチフィルム４０が本発明における拘束手段に相当する。
【００３９】
ストレッチフィルム４０は、上端部が平版印刷版束１０の上面に接触し、下端部が台座部２４に達する高さを有し、中央部を平版印刷版束１０の正面に接触させて両端を図７における矢印Ｌの方向に折り込んだときに、積載台２の支持板２２Ａの背面で両端が重なり合う程度の巾を有している。
【００４０】
ストレッチフィルム４０は、伸縮性のある材料から形成されたフィルムであり、降伏点を超えない範囲で引張られると、一定値以上の収縮力で収縮する。ストレッチフィルム４０としては、ポリエチレン樹脂やエチレン・プロピレン共重合体樹脂、エチレン・酢酸ビニル共重合体樹脂、ポリ塩化ビニル樹脂、ポリエチレンテレフタレート樹脂などから形成された１軸または２軸延伸フィルムが使用される。ストレッチフィルム４０としてＬＬＤＰＥ（直鎖状低密度ポリエチレン）などの自己接着性フィルムを用いれば、粘着テープや接着剤、留め具などの固定手段を使用することなく端部を固定できる。
【００４１】
ストレッチフィルム４０で平版印刷版束１０を積載台２に拘束する手順は以下の通りである。
【００４２】
先ず、図７に示すように、平版印刷版束１０を内装紙１６で包装し、積載台２に載置する。なお、内装紙１６は、上に説明した内装紙と同様の構成を有している。次に、平版印刷版束１０を積載台２ごとストレッチフィルム４０で巻回する。ストレッチフィルム４０で巻回する回数は、図７に示すように１回のみでもよく、また、２回またはそれ以上であってもよい。平版印刷版束１０と積載台２とを巻回するストレッチフィルム４０は、図７に示すように枚葉状であってもよいが、ロール状のストレッチフィルム４０で平版印刷版束１０と積載台２とを必要な回数だけ巻回してもよい。これにより、図７に示されるように平版印刷版束１０は積載台２に拘束される。
【００４３】
なお、平版印刷版束１０を積載台２に拘束するのに、ストレッチフィルム４０に代えて熱収縮性フィルムを用いてもよい。この場合は、熱収縮性フィルムで平版印刷版束１０を積載台２ごと巻回し、熱収縮性フィルムの末端をテープ等の適宜の手段で固定したのち、前記熱収縮性フィルムに熱風を吹き付けて加熱して熱収縮させればよい。
【００４４】
実施形態１に係る包装構造体１００においては、輸送中にトラックの荷台から伝わってくる振動や、荷役中にフォークリフトのフォークから伝わってくる振動は、緩衝シート４および緩衝シート３０で遮断され、平版印刷版束１０には伝達されない。
【００４５】
したがって、平版印刷版束１０を立てた状態で積載台２上に載置しているにも係らず、振動によって平版印刷版が上下動して隣り合う平版印刷版同士が互いに擦れ合って製版面に傷が生じることが防止される。
【００４６】
また、背凭れ面２０Ａや載置面２０Ｂに凹凸がある場合においても、前記凹凸は緩衝シート４によって吸収される。
【００４７】
更に、緩衝シート４に重ねて硬質板５を配置しているから、平版印刷版束１０が載置される面の平面性が確保される。したがって、平版印刷版束１０は、前記面と平面接触するから、片当りによって平版印刷版に品質故障が生じることが防止される。
【００４８】
したがって、レーザ刷版のように製版面が傷付き易い形態の平版印刷版を２００〜２０００枚程度の単位で包装して搬送するのに好適に使用される。
【００４９】
また、平版印刷版束１０は縦向きの状態で積載台２に載置されているから、包装構造体１００を開梱した後に平版印刷版を１枚づつ取り出すことが容易に行なえる。
【００５０】
なお、本実施形態１は、シート状物が平版印刷版である例について述べたが、枚葉状のシート状物であれば、平版印刷版には限定されず、たとえば、金属板を枚葉状の正方形、または長方形状に裁断した枚葉体シートの包装にも適用できる。
【００５１】
２．実施形態２
本発明に包含される平版印刷版の包装構造体の別の例について以下に説明する。
【００５２】
図８〜図１０に示すように、実施形態２に係る包装構造体１０２は、積載台５２と、積載台５２上に実質的に水平に載置される平版印刷版束６０と、平版印刷版束６０を積載台２に拘束する３本の結束バンド５８と、平版印刷版束６０における結束バンド５８が当接する側の端面に当てられる当て板５６とを備えている。なお、当て板５６における夫々の結束バンド５８が当る部分には、帯状の補強片５９が挿入されている。積載台５２および平版印刷版束６０は、夫々本発明のシート状物包装構造における積載台およびシート状物束に相当する。
【００５３】
積載台５２は、略水平に配設され、平版印刷版束６０が載置される保持台５２Ａと、保持台５２Ａの下面から下方に設けられた２つの脚部５２Ｂとを備える。
【００５４】
保持台５２Ａの上面の中央部には、保持台５２Ａよりも一回り小さなスペーサ５３が固定され、スペーサ５３に緩衝シート５４が貼付され、その上に硬質板５５が配置されている。平版印刷版束６０は、硬質板５５上に載置される。硬質板５５は、緩衝シート５４に載置されていてもよいが、接着、両面粘着テープ、面ファスナなどの手段によって固定されていてもよい。特に面ファスナは、硬質板５５を着脱可能に装着できる点で好ましい。
【００５５】
なお、緩衝シート５４、硬質板５５、および平版印刷版束６０は、実施形態１における緩衝シート４、硬質板５、および平版印刷版束１０と同様である。
【００５６】
実施形態２に係る包装構造体１０２においても、輸送中にトラックの荷台から伝わってくる振動や、荷役中にフォークリフトのフォークから伝わってくる振動は、緩衝シート５４で遮断され、平版印刷版束６０には伝達されない。
【００５７】
また、緩衝シート５４に重ねて硬質板５５を配置しているから、平版印刷版束１０が載置される面の平面性が確保される。したがって、平版印刷版束１０は、前記面と平面接触するから、片当りによって平版印刷版に品質故障が生じることが防止される。
【００５８】
したがって、振動によって平版印刷版が水平にズレ動いたり上下動したりして隣り合う平版印刷版同士が互いに擦れ合って製版面に傷が生じることが防止されるから、レーザ刷版のように製版面が傷付き易い形態の平版印刷版を２００〜２０００枚程度の単位で包装して搬送するのに好適に使用される。
【００５９】
更に、平版印刷版束６０は、水平に載置されるから、需要者が、平版印刷版を水平に装入する形態の露光・製版装置を使用している場合には、開梱したそのままの状態で装入を行なえるという特長もある。
【００６０】
３．実施形態３
本発明に包含される平版印刷版の包装構造体の更に別の例について以下に説明する。
【００６１】
図１１および図１２に示すように、実施形態３に係る包装構造体１０４は、積載台７２と、積載台７２上に実質的に水平に載置される平版印刷版束８０と、平版印刷版束８０を積載台７２に拘束する井桁状に配置された４本の結束バンド８８と、平版印刷版束８０における結束バンド８８が当接する側の端面に当てられる当て板８６とを備えている。積載台７２および平版印刷版束８０は、夫々本発明のシート状物包装構造における積載台およびシート状物束に相当する。
【００６２】
積載台７２は、略長方形状の上板７６と、同じく略長方形状の底板７８と、上板７６と底板７８とを連結するブロック状の脚部７７とを備えている。脚部７７の間には、フォークリフトやハンドリフトのフォークを挿入するための空間７９が形成されている。
【００６３】
上板７６の中央部には、上板７６よりも一回り小さなスペーサ７３が固定され、その上に緩衝シート７４が貼着されている。脚部７７およびスペーサ７３は段ボールなどの緩衝性材料で形成してもよい。緩衝シート７４の上には硬質板７５が配置されている。硬質板７５は、ただ単に緩衝シート７４に載置されていてもよいが、接着、両面粘着テープ、面ファスナなどの手段によって固定されていてもよい。特に面ファスナは、硬質板７５を着脱可能に装着できる点で好ましい。
【００６４】
スペーサ７３、緩衝シート７４、硬質板７５、および平版印刷版束８０は、外光や温度、湿度の変化から保護すべく、遮光性の外装材８２で巻回されている。なお、図１１においては、スペーサ７３、緩衝シート７４、硬質板７５、および平版印刷版束８０の相対的位置関係が判るように、外装材８２は恰も部分的に破れているように示されている。外装材８２としては、たとえばクラフト紙や段ボールにポリエチレン層のような防水防湿層およびアルミニウム箔や黒色ポリエチレン層のような遮光層を設けたものが挙げられる。
【００６５】
なお、結束バンド８８や当て板８６を使用する代わりに、図１２に示すように、積載台７２に平版印刷版束８０を載置し、次に、平版印刷版束８０が荷崩れしないように、ストレッチフィルムや熱収縮性フィルムで積載台７２および版印刷版束８０を巻回してもよい。
【００６６】
緩衝シート７４、硬質板７５、および平版印刷版束８０は、実施形態１における緩衝シート４、硬質板５、および平版印刷版束１０と同様である。
【産業上の利用可能性】
【００６７】
本発明の積載台およびシート状物包装構造は、枚葉状のシート状物であれば、平版印刷版以外にも適用できる。
【図面の簡単な説明】
【００６８】
【図１】図１は、実施形態１に係る平版印刷版の包装構造体の構成を示す斜視図である。
【図２】図２は、図１に示す包装構造体における積載台と平版印刷版束との相対的な位置関係を示す斜視図である。
【図３】図３は、図１に示す包装構造体における積載台と平版印刷版束との相対的な位置関係を示す側面図である。
【図４】図４は、図１に示す包装構造体における積載台の別の例を示す側面図である。
【図５】図５は、図１に示す包装構造体における積載台の更に別の例を示す側面図である。
【図６】図６は、実施形態１に係る平版印刷版の包装構造体の別の例について構成を示す斜視図である。
【図７】図７は、積載台に平版印刷版束を載置してストレッチフィルムで巻回し、図６に示す包装構造体を形成する手順を示す分解斜視図である。
【図８】図８は、実施形態２に係る平版印刷版の包装構造体の構成を示す斜視図である。
【図９】図９は、図８に示す包装構造体における積載台と平版印刷版束との相対的な位置関係を示す斜視図である。
【図１０】図１０は、図８に示す包装構造体における積載台と平版印刷版束との相対的な位置関係を示す側面図である。
【図１１】図１１は、実施形態３に係る平版印刷版の包装構造体の構成を示す斜視図である。
【図１２】図１２は、実施形態３に係る包装構造体の別の例を示す斜視図である。
【符号の説明】
【００６９】
２    積載台
４    緩衝シート
５    硬質板
６    当て板
８    結束バンド
１０    平版印刷版束
１６    内装紙
２０Ａ  背凭れ面
２０Ｂ  載置面
２２    載置部
２２Ａ  支持板
２２Ｂ  載置板
５２    積載台
５２Ａ  保持台
５２Ｂ  脚部
５３    スペーサ
５４    緩衝シート
５５    硬質板
６０    平版印刷版束
７２    積載台
７４    板状緩衝材
７５    硬質シート
８０    平版印刷版束
１００    包装構造体
１０２    包装構造体
１０４    包装構造体
【図１】
2007084121.tif 000003
【図２】
2007084121.tif 000004
【図３】
2007084121.tif 000005
【図４】
2007084121.tif 000006
【図５】
2007084121.tif 000007
【図６】
2007084121.tif 000008
【図７】
2007084121.tif 000009
【図８】
2007084121.tif 000010
【図９】
2007084121.tif 000011
【図１０】
2007084121.tif 000012
【図１１】
2007084121.tif 000013
【図１２】
2007084121.tif 000014